(57)【特許請求の範囲】
【請求項１】
Ａ．基板上に互いに平行してスライド自在に支持された複数のドローバーと、
Ｂ．この各ドローバーに対し各ドローバーのスライド方向に取り付けられたラックと、
Ｃ．このラックに噛合するピニオンを駆動し、上記各ドローバーを個別にスライドさせるモータと、
Ｄ．上記各ドローバーに操作子がそれぞれ係合し、各ドローバーのスライド位置に対応したデジタル信号を発信するデジタルスライドスイッチと、
Ｅ．上記各ドローバーに装着され、各ドローバーのスライド方向と直行する向に弾性偏倚されたクリックメタルと、
Ｆ．このクリックメタルと係合する複数のスリットを具備し、このスリットと上記クリックメタルとの係合によって上記各ドローバーのスライド時にクリック感を与えるクリック板と、
Ｇ．上記各ドローバーに設けたクリック板を一体に支持し、上記クリック板を上記クリックメタルとの係合位置と非係合位置とに移動させるスライド板と、
Ｈ．このスライド板を移動させる駆動手段と、
によって構成したことを特徴とするドローバー駆動装置。
【発明の詳細な説明】
【０００１】
【発明に属する技術分野】
この発明は主に電子楽器の分野で利用されるドローバーを手動と電動の双方で操作できるように構成したドローバー駆動装置に関する。
【０００２】
【従来の技術】
従来より電子楽器の分野では例えば音色の設定手段としてドローバーが利用されている。図８及び図９にドローバーを用いた音色設定器の一例を示す。図中１０は音色設定装置を格納したケースを示す。ケース１０の上面にドローバー２０が複数配列されて装着される。
【０００３】
図の例では９本のドローバー２０を配列した場合を示す。各ドローバー２０は進退方向にスライド自在に支持され、各ドローバー２０のスライド位置に対応して音色が設定される。つまり、各ドローバー２０には各種の機能が割り当てられる。その一例としては例えば配列の左端のドローバー２０には原音（各音の基本波成分）の音量設定が割り当てられる。ドローバー２０が最も押し込まれた状態で音量が最も絞られ、引き出す方向に移動させると音量が増大される。従って、左端のドローバー２０の設定位置で各音の原音成分の音量の設定状態が解る。
【０００４】
左端から２番目以降の各ドローバー２０には倍音関係にある各周波数成分の音量設定が割当てられる。つまり、２番目以降の各ドローバー２０に例えば２倍音、３倍音、４倍音、５倍音・・・の各音量が割当てられ、これらの倍音の音量設定によって音色が設定される。楽器の演奏者はこのドローバー２０の設定状況を見ることにより音色の設定状況を把握し、演奏に適した設定状態をパターンとして暗記するなどしている。
【０００５】
ところで、電子楽器の音色設定手段には他にも、例えばメモリに音色設定条件を記憶させ、メモリから各種の設定条件を読み出して音色の設定を行う機能も具備している。この場合には表示器に設定条件を表示させ、演奏者に認識させる方法を採っている。
従来は表示器の表示と、ドローバー２０の設定位置とは一致していないため、演奏者には使い勝手が悪く表示をドローバーに統一することが望まれている。このため、各ドローバー２０をモータによって駆動させメモリから読み出した設定条件をドローバー２０の設定位置に置換する方法が考えられる。
【０００６】
【課題を解決するための課題】
従来のドローバー２０はドローバー２０をスライドさせた場合にその移動量を感触で認識できるように、多数のスリットが形成されたクリック板にクリックメタルをバネで押しつけ、このクリックメタルをスリットと係合、離脱を繰り返しながら移動させてクリック感を与えるクリック付加手段が付設されている。
【０００７】
このクリック付加手段が付設されているためモータによる駆動には無理が生じ、特に容量の大きい従って形状が大きいモータを用いる必要が有り、ドローバー自体の形状が大きくなってしまう欠点がある。
このため、ドローバー２０からクリック付加手段を除去することも考えられるが、単にクリック付加手段を除去してしまうと、手動操作時にクリック感が得られなくなり、手動操作と共存させる上で不都合が生じる。
【０００８】
この発明の目的は手動操作時はクリック感を付与し、モータ駆動時はクリック付加手段を除去した状態で動作するドローバー駆動装置を提供しようとするものである。
【０００９】
【課題を解決するための手段】
この発明の請求項１で提案するドローバー駆動装置ではクリック付加手段を構成するスリットが多数形成されたクリック板をドローバーの側部に対して近接し、離間した位置に移動させるスライド板を設け、ドローバーを手動操作するときはスライド板を移動させてクリック板をドローバーに近接させ、クリック感を付与する状態に制御すると共に、モータ駆動時はスライド板を移動させてクリック板をドローバーから引き離し、これによってクリック板とクリックメタルとの係合を外した状態に制御する。
【００１１】
【発明の実施の形態】
図１乃至図５にこの発明の請求項１で提案するドローバー駆動装置の一実施例を示す。この実施例ではドローバー２０にクリック感を与えるクリック板４１をスライド板５０に支持させ、スライド板５０をスライドさせることにより各ドローバー２０の側辺に近接して配置したクリック板４１をドローバー２０の側辺から一斉に引き離す構造の実施例を示す。
【００１２】
つまり、この実施例ではクリック板４１をスライド板５０から切起して形成した場合を示す。クリック板４１には図４に示すようにドローバー２０のスライド方向に複数のスリット４４を配置して形成し、このスリット４４に図５に示すクリックメタル４３の球面が係合してドローバー２０の動きに対してクリック感を与える。
【００１３】
ドローバー２０にはこれと対向してデジタルスライドスイッチ３０が基板３１に取り付けられる。デジタルスライドスイッチ３０はデジタルスライドスイッチ本体の長手方向に移動自在に支持された操作子３２（図３及び図４参照）を具備し、この操作子３２がドローバー２０に係合されている。従ってドローバー２０をスライドさせると、ドローバー２０の動きに対応してデジタルスライドスイッチ３０が操作され、操作子３２のスライド位置に対応したデジタルの位置信号が発信される。
【００１４】
ドローバー２０を手動によって操作する場合はクリック板４１は図２に示すようにドローバー２０の側部に接近した位置に支持される。この位置はスライド板５０がバネ５２の偏倚力によって図１及び図２の例では左方向に弾性的に偏倚されてクリック板４１がクリックメタル４３に接触した状態に維持され、クリック感が付与される状態に維持される。
【００１５】
一方スライド板５０には図１乃至図３に示すように駆動手段５１が装着される。駆動手段５１はこの例では電磁ソレノイドを用いた場合を示す。駆動手段５１を励磁すると、スライド板５０は図１の例では右方向に移動し、図３に示す位置に移動する。スライド板５０が図３に示す位置に移動することにより、クリック板４１はドローバー２０の側部から突出したクリックメタル４３との係合から引き離される。よって、この状態でモータＭ（図４参照）によりドローバー２０を駆動すればドローバー２０は軽く移動し、モ−タＭを小容量のモータで済ませることができる。
【００１６】
尚、モータＭとドローバー２０との間には図４に示すようにモータＭの軸に取り付けたピニオン２１と、ドローバー２０に取り付けたラック２２とが介在し、モータＭの回転運動を直線駆動力に変換してドローバー２０を直線駆動させる構造としている。また、図２と図３は図４に示したＡ−Ａ線上の断面を示すからこれら図２と図３にはモータＭは表れないが、各ドローバー２０に対してモータＭが装着される。
【００１７】
図６はモータＭを正転、逆転、停止の状態に制御するモータ駆動回路を示す。この駆動回路で端子Ａ，Ｂ，Ｃ，Ｄの全てにＬ論理を与えるとモータＭは停止状態に維持される。端子ＡとＣにＨ論理を与え、他の端子ＢとＤにＬ論理を与えるとモータＭには電流Ｉ１が流れ正転状態に制御される。端子ＢとＤにＨ論理を与え、他の端子ＡとＣにＬ論理を与えるとモータＭには電流Ｉ２が流れ、モータＭは逆転方向に回転する。
【００１８】
従ってモータＭに電流Ｉ１又はＩ２が流れるのと同期して駆動手段５１に励磁電流を与えることにより、モータＭが回転駆動される場合はスライド板５０がバネ５２の偏倚力に抗して移動し、クリック板4 １をドローバー２０の側部から引き離すことができる。よってモータＭが駆動される場合はクリック付加手動４０は解除され、モータＭは無理なくドローバー２０を移動させることができる。
【００１９】
図７はこの発明の参考例で提案するドローバー駆動装置に用いるクリック付加手段４０の構造を示す。参考例で提案するドローバー駆動装置は各ドローバー２０の毎にクリック付加手段４０を解除するか否かを選択的に制御できる構造とした点を請求するものである。
このため、クリック付加手段４０にクリックメタル４３を吸着する吸着手段４５を設け、この吸着手段４５によってクリックメタル４３を吸着することによりクリックメタルに４３をクリック板４１から引き離す構造としたものである。
【００２０】
吸着手段４５としては電磁コイル４５Ａと磁芯４５Ｂとによって構成することができる。電磁コイル４５Ａに励磁電流を流すことにより、偏倚力に抗してクリックメタル４３が磁芯４５Ｂに吸着され、クリックメタル４３はクリック板４１から引き離され、これによりクリック付加手段４０は解除された状態に維持される。  電磁コイル４５Ａの励磁を解くことによりクリックメタル４３は再びクリック板４１に係合し、クリック感を付加する状態となる。その他の構成は図１乃至図４に示した実施例と同じであるから、これ以上の説明は省略する。
上述したドローバー駆動装置は電子楽器の音色設定手段以外にも用いることができることは容易に理解できよう。また電子楽器の分野以外でも例えば拡声装置のミクサーのような分野にも利用できる。
【００２１】
【発明の効果】
以上説明したように、この発明ではドローバー２０にクリック感を与えるクリック付加手段４０を解除した状態とクリック付加状態とに任意に切り替わることができる構造としたから、ドローバー２０を手動により操作する際にはクリック感を与える状態に制御し、モータＭによってドローバー２０を移動させる場合にはクリック付加手段４０を解除状態に制御することができるから、モータＭに負担をかけることなく駆動させることができる。
【００２２】
よってモータＭは容量の小さい小型モータを用いることができるからドローバー２０の全体の形状を小さくまた重量も軽く作ることができる利点が得られる。
【図面の簡単な説明】
【図１】  この発明の請求項１で提案したドローバー駆動装置の一実施例を説明するための平面図。
【図２】  この発明の請求項１で提案したドローバー駆動装置を説明するための図４に示すＡ−Ａ線上の断面図。
【図３】  図２と同様の断面図でクリック付加手段を解除した状態を示す図。
【図４】  図１の側面図。
【図５】  図１乃至図４に示したクリック付加手段に用いる偏倚手段とクリックメタルの形状を説明するための側面図。
【図６】  ドローバーを駆動するモータ駆動回路の一例を示す接続図。
【図７】  この発明の参考例で提案するドローバー駆動装置の要部の構成を説明するための断面図。
【図８】  従来の技術を説明するための平面図。
【図９】  図８の側面図。
【符号の説明】
２０        ドローバー
３０        デジタルスライドスイッチ
４０        クリック付加手段
４１        クリック板
４２        偏倚手段
４３        クリックメタル
４５        吸着手段
５０        スライド板
５１        駆動手段
【図１】
0004014317.tif 000002
【図２】
0004014317.tif 000003
【図３】
0004014317.tif 000004
【図４】
0004014317.tif 000005
【図５】
0004014317.tif 000006
【図６】
0004014317.tif 000007
【図７】
0004014317.tif 000008
【図８】
0004014317.tif 000009
【図９】
0004014317.tif 000010